(57)【特許請求の範囲】
【請求項１】
マンホール立上がり管体の上端部近傍周辺の座体設置地盤部上に設置され前記マンホール立上がり管体の上端部を遊嵌する管体遊嵌用孔を中心部に形成した環状の受け座体と、
この受け座体上に位置決め固定される略筒状の固定蓋受け体と、
この固定蓋受け体に上下位置調節自在に取り付けられた略筒状の可動蓋受け体と、
この可動蓋受け体に着脱自在に装着される蓋体とを具備し、
前記可動蓋受け体の下端部に泥流入防止部を形成し、この泥流入防止部を前記固定蓋受け体の上端部外周側に嵌合した
ことを特徴とする小型マンホール用蓋装置。
【請求項２】
固定蓋受け体の上部に形成した下側スペーサ受け部と可動蓋受け体に形成した上側スペーサ受け部との間にスペーサー体を配設した
ことを特徴とする請求項１記載の小型マンホール用蓋装置。
【請求項３】
固定蓋受け体には、螺合孔を有する雌螺合部を周方向に沿って互いに等間隔をおいて複数形成し、
可動蓋受け体の内面には、ボルト体取付け部を前記雌螺合部に対向させて周方向に沿って互いに等間隔をおいて複数形成し、
調節用ボルト体を前記ボルト体取付け部に回転操作可能に取り付けてこの調節用ボルト体の先端部を前記雌螺合部の前記螺合孔に螺合した
ことを特徴とする請求項１または２記載の小型マンホール用蓋装置。
【発明の詳細な説明】
【０００１】
【発明の属する技術分野】
本発明は、下水本管に接続して設置する小型マンホール装置に用いる小型マンホール用蓋装置に関する。
【０００２】
【従来の技術】
近年、下水本管に接続して設置するマンホール装置は、コンクリート製の大型マンホール装置に代えて、図４に示すように、下水本管１を側部に接続した桝体２の上部に内径が30cm以下の合成樹脂製のマンホール立上がり管体３を接続して構成される小型マンホール装置が広く使用されるに至っている。
【０００３】
そして、従来、この小型マンホール装置に用いられる小型マンホール用蓋装置としては、前記マンホール立上がり管体３の上端部を遊嵌する管体遊嵌用孔５を中心部に形成した受け座体６を埋め戻し時に砕石等を締め固めて形成した座体設置地盤部７上に設置し、この受け座体６上には上下面を開口した略円筒状の固定蓋受け体８を位置決め固定し、この固定蓋受け体８には上面開口を開閉する略円形板状の蓋体９を上面を道路面10に一致させて着脱自在に装着した構成が知られている。
【０００４】
【発明が解決しようとする課題】
しかしながら、上記従来の小型マンホール用蓋装置では、施工後に、座体設置地盤部11が窪み、受け座体６上の蓋体９が不等沈下した場合等、窪んだ状態の座体設置地盤部11をもとの状態に直して、蓋体９をもとの高さに修正しなければならず、蓋体９の高さ修正作業が煩雑である問題を有している。
【０００５】
本発明は、このような点に鑑みなされたもので、蓋体の高さ修正作業を簡単にできる小型マンホール用蓋装置を提供することを目的とする。
【０００６】
【課題を解決するための手段】
請求項１記載の小型マンホール用蓋装置は、マンホール立上がり管体の上端部近傍周辺の座体設置地盤部上に設置され前記マンホール立上がり管体の上端部を遊嵌する管体遊嵌用孔を中心部に形成した環状の受け座体と、この受け座体上に位置決め固定される略筒状の固定蓋受け体と、この固定蓋受け体に上下位置調節自在に取り付けられた略筒状の可動蓋受け体と、この可動蓋受け体に着脱自在に装着される蓋体とを具備し、前記可動蓋受け体の下端部に泥流入防止部を形成し、この泥流入防止部を前記固定蓋受け体の上端部外周側に嵌合したものである。
【０００７】
そして、施工後に座体設置地盤部が窪んで蓋体が不等沈下した場合、可動蓋受け体を固定蓋受け体に対して上方向に沈下量に応じた量だけ移動させて、蓋体の高さを修正できるので、窪んだ状態の座体設置地盤部をもとの状態に直す必要がない。
【０００８】
請求項２記載の小型マンホール用蓋装置は、請求項１記載の小型マンホール用蓋装置において、固定蓋受け体の上部に形成した下側スペーサ受け部と可動蓋受け体に形成した上側スペーサ受け部との間にスペーサー体を配設したものである。
【０００９】
そして、可動蓋受け体の上側スペーサ受け部と固定蓋受け体の下側スペーサ受け部との間にはスペーサー体が配設されているので、可動蓋受け体から固定蓋受け体に作用する力がスペーサー体にて分散されて、固定蓋受け体の変形が防止される。
【００１０】
請求項３記載の小型マンホール用蓋装置は、請求項１または２に記載の小型マンホール用蓋装置において、固定蓋受け体には、螺合孔を有する雌螺合部を周方向に沿って互いに等間隔をおいて複数形成し、可動蓋受け体の内面には、ボルト体取付け部を前記雌螺合部に対向させて周方向に沿って互いに等間隔をおいて複数形成し、調節用ボルト体を前記ボルト体取付け部に回転操作可能に取り付けてこの調節用ボルト体の先端部を前記雌螺合部の前記螺合孔に螺合したものである。
【００１１】
そして、施工後に座体設置地盤部が窪んで蓋体が不等沈下した場合、蓋体を取り外し、調節用ボルト体を回転操作し、可動蓋受け体を固定蓋受け体に対して上方向に沈下量に応じた量だけ移動させて、蓋体の高さを修正できるので、窪んだ状態の座体設置地盤部をもとの状態に直す必要がない。
【００１２】
【発明の実施の形態】
以下、本発明の小型マンホール用蓋装置の一実施の形態の構成を図面を参照して説明する。
【００１３】
図１および図２において、11はマンホール立上がり管体で、このマンホール立上がり管体11は、塩ビニル樹脂等の合成樹脂等にて内径30cm以下の寸法で円筒状に成形され、このマンホール立上がり管体11の上端部近傍の周辺には座体設置地盤部12が形成されている。この座体設置地盤部12は埋め戻し時に砕石等を締め固めて形成する。また、このマンホール立上がり管体11の上面開口は内蓋体14にて開閉自在に閉鎖されている。さらに、このマンホール立上がり管体11の上端部周囲には小型マンホール用蓋装置15が配設されている。
【００１４】
そして、この小型マンホール用蓋装置15は、図１ないし図３に示すように、前記座体設置地盤部12上に設置された受け座体21を備え、この受け座体21上には固定蓋受け体22が位置決め固定され、この固定蓋受け体22には可動蓋受け体23が上下位置調節自在に取り付けられ、この可動蓋受け体23には蓋体24が着脱自在に装着されている。
【００１５】
前記受け座体21は、コンクリート或いは圧縮強度の大きい合成樹脂等にて板状で環状に成形され、中心部には上方に向って拡径した截頭円錐状の管体遊嵌用孔31が形成され、この管体遊嵌用孔31には前記マンホール立上がり管体11の上端部が遊嵌されている。また、この受け座体21の上面には環状の蓋受け体載置段部32が形成されている。
【００１６】
また、前記固定蓋受け体22は、鋳物等にて上下面を開口した略円筒状に成形され、下端部には外方に向って突出したフランジ部35が形成され、このフランジ部35は前記蓋受け体載置段部32に嵌合され、この嵌合されたフランジ部35は連結用ボルト体36にて前記蓋受け体載置段部32に連結固定されている。また、この固定蓋受け体22の上端部には略環状の下側スペーサ受け部37が内方に向って突出形成されている。さらに、この下側スペーサ受け部37には雌螺合部38が周方向に沿って１２０°毎に互いに等間隔をおいて３箇所に突出形成され、この雌螺合部38には上下に貫通した螺合孔39が形成されている。
【００１７】
さらに、前記可動蓋受け体23は、鋳物等にて上下面を開口した略円筒状に成形され、下部には円筒状の泥流入防止部41が形成され、上端部内周面には環状の蓋受け段部42が形成されている。また、この可動蓋受け体23の上下方向の中間部内面には、略環状の上側スペーサ受け部43が内方に向って突出形成されているとともに、ボルト体取付け部45が前記上側スペーサ受け部43と一体に前記雌螺合部38に対向した状態で周方向に沿って１２０°毎に互いに等間隔をおいて３箇所に突出形成されている。
【００１８】
そして、この可動蓋受け体23のボルト体取付け部45には抜け止めされた状態で調節用ボルト体48が回転操作可能に取り付けられており、この調節用ボルト体48の先端部は前記雌螺合部38の前記螺合孔39に螺合されている。また、この調節用ボルト体48にて可動蓋受け体23と固定蓋受け体22とが連結された状態では、この可動蓋受け体23の泥流入防止部41は固定蓋受け体22の上端部外周側に嵌合した状態にある。
【００１９】
また、前記蓋体24は、鋳物等にて略円形板状に成形され、外周部が前記蓋受け段部42に嵌合されている。そして、この蓋体24にて前記可動蓋受け体23の上面開口が開閉自在に閉鎖され、この蓋体24の上面が例えば道路面51に一致している。
【００２０】
一方、図１に示されるように、前記固定蓋受け体22の下側スペーサ受け部37と、前記可動蓋受け体23の上側スペーサ受け部43との間には、３つに分割された略環状のスペーサー体50が挟み込まれた状態で配設されている。この各スペーサー体50は圧縮強度の大きい例えばいわゆる廃プラスチック等にて矩形状で曲面状に成形されたものである。
【００２１】
次に、上記一実施の形態の作用を説明する。
【００２２】
まず、小型マンホール用蓋装置15の施工方法について説明すると、道路下において下水本管を側部に接続した桝体の上部にマンホール立上がり管体11を接続し、このマンホール立上がり管体11の上面開口には内蓋体14を着脱自在に装着する。
【００２３】
その後、砂を入れることによりマンホール立上がり管体11の上端部近傍の位置まで埋め戻し、この砂の上に砕石等を入れてランマー等にて十分に締め固めて座体設置地盤部12を形成する。
【００２４】
続いて、この座体設置地盤部12上に受け座体21を設置してから、この受け座体21上には、調節用ボルト体48にて互いに連結された固定蓋受け体22および可動蓋受け体23を連結用ボルト体36にて位置決め固定し、さらに、可動蓋受け体23には蓋体24を着脱自在に装着する。
【００２５】
次いで、再び砕石等を入れて十分に転圧してから、図２に示されるように、アスファルトで道路面51を、蓋体24の上面と一致させるようにして仕上げる。なお、この際、必要に応じて、スパナ等の工具を用いて調節用ボルト体48を回転操作し、可動蓋受け体23の上下位置を調節する。可動蓋受け体23を固定蓋受け体22に対して上方向に移動させたときにはスペーサー体50を挟着する。
【００２６】
そして、このようにして施工された後において、座体設置地盤部12が窪んで、例えば蓋体24が不等沈下した場合は、固定蓋受け体22に対する可動蓋受け体23の上下位置を調節する。
【００２７】
すなわち、蓋体24を可動蓋受け体23から取り外し、調節用ボルト体48を回転操作し、可動蓋受け体23を固定蓋受け体22に対して上方向に沈下量に応じた量だけ移動させ、固定蓋受け体22の下側スペーサ受け部37と可動蓋受け体23の上側スペーサ受け部43との間に所定寸法のスペーサー体50を挟着して、図１に示されるように、蓋体24の高さを修正する。
【００２８】
したがって、従来のように、アスファルトからなる道路面51をわざわざ掘り起こして砕石等を追加して、窪んだ状態の座体設置地盤部12をもとの状態に直す必要がない。
【００２９】
このようにして、上記一実施の形態によれば、施工後に座体設置地盤部12が窪んで蓋体24が不等沈下した場合、蓋体24を取り外し、調節用ボルト体48を回転操作し、可動蓋受け体23を固定蓋受け体22に対して上方向に沈下量に応じた量だけ移動させることによって、蓋体24の高さを修正するので、窪んだ状態の座体設置地盤部12をもとの状態に直すことを要せず、蓋体24の高さ修正作業を簡単かつ確実に行うことができる。
【００３０】
また、施工時には、調節用ボルト体48を回転操作し、可動蓋受け体23の上下位置を調節することによって、蓋体24の上面を道路面51に容易かつ確実に一致させることができる。
【００３１】
さらに、可動蓋受け体23の下端部に形成した泥流入防止部41を固定蓋受け体22の上端部外周側に嵌合するので、固定蓋受け体22の内部への泥等の流入を防止できる。
【００３２】
また、可動蓋受け体23の上側スペーサ受け部43と固定蓋受け体22の下側スペーサ受け部37との間にはスペーサー体50を配設するので、可動蓋受け体23を固定蓋受け体22に対して上方向に移動させた場合であっても、可動蓋受け体23から固定蓋受け体22に作用する力をこのスペーサー体50にて分散させることによって、固定蓋受け体22の変形を防止できる。
【００３３】
【発明の効果】
請求項１記載の発明によれば、施工後に座体設置地盤部が窪んで蓋体が不等沈下した場合、可動蓋受け体を固定蓋受け体に対して上方向に沈下量に応じた量だけ移動させることによって、蓋体の高さを修正するので、窪んだ状態の座体設置地盤部をもとの状態に直すことを要せず、蓋体の高さ修正作業を簡単に行うことができ、しかも、施工時には可動蓋受け体の上下位置を調節することによって、蓋体の上面を道路面等に容易に一致させることができる。また、可動蓋受け体の下端部に形成した泥流入防止部を固定蓋受け体の上端部外周側に嵌合するので、固定蓋受け体の内部への泥等の流入を防止できる。
【００３４】
請求項２記載の発明によれば、可動蓋受け体の上側スペーサ受け部と固定蓋受け体の下側スペーサ受け部との間にはスペーサー体を配設するので、可動蓋受け体から固定蓋受け体に作用する力をスペーサー体にて分散させることによって固定蓋受け体の変形を防止でき、固定蓋受け体自体の強度を高くすることなく経済的にできる。
【００３５】
請求項３記載の発明によれば、施工後に座体設置地盤部が窪んで蓋体が不等沈下した場合、蓋体を取り外し、調節用ボルト体を回転操作し、可動蓋受け体を固定蓋受け体に対して上方向に沈下量に応じた量だけ移動させることによって、蓋体の高さを修正するので、窪んだ状態の座体設置地盤部をもとの状態に直すことを要せず、蓋体の高さ修正作業を簡単かつ確実に行うことができ、しかも、施工時には調節用ボルト体を回転操作し、可動蓋受け体の上下位置を調節することによって、蓋体の上面を道路面等に容易かつ確実に一致させることができる。
【図面の簡単な説明】
【図１】  本発明の小型マンホール用蓋装置の一実施の形態を示す蓋体の高さ修正後の状態における縦断面図である。
【図２】  同上小型マンホール用蓋装置を示す施工直後の状態における縦断面図である。
【図３】  同上小型マンホール用蓋装置を示す蓋体の高さ修正後の状態における一部省略した平面図である。
【図４】  従来の小型マンホール用蓋装置を示す縦断面図である。
【符号の説明】
11    マンホール立上がり管体
12    座体設置地盤部
15    小型マンホール用蓋装置
21    受け座体
22    固定蓋受け体
23    可動蓋受け体
24    蓋体
31    管体遊嵌用孔
37    下側スペーサ受け部
38    雌螺合部
39    螺合孔
41 泥流入防止部
43    上側スペーサ受け部
45    ボルト体取付け部
48    調節用ボルト体
50    スペーサー体
【図１】
0003865510.tif 000002
【図２】
0003865510.tif 000003
【図３】
0003865510.tif 000004
【図４】
0003865510.tif 000005